(57)【要約】      （修正有）【課題】男性が寝台ベッド車椅子、自動車運転席等に座したままの姿勢で安全に排尿が出来る使い捨てホーストイレを提供する。【解決手段】外径約７ｃｍ、長さ約５０ｃｍのポリ袋ホース３を尿瓶代わりに採用する。ホーストイレの先端にズボンチャック挿入用ガイド紙筒、外径５ｃｍ、長さ１０ｃｍの単管２を付設して、更にポリ袋内に、尿液凝固目的の粉末凝固剤４、ポリマーを約１０ｇ投入した構造の男性用使い捨てホーストイレとする。【選択図】図１
0003165864.tif 000002
【実用新案登録請求の範囲】
【請求項１】
外径約７ｃｍ、長さ約５０ｃｍ、厚み、０，０１５ｃｍのホース状薄型ポリ袋口先端に、別途ズボンチャック挿入用ガイド紙管、外径５ｃｍ、長さ１０ｃｍの単管をホース袋口折り曲げ方法で包装固定した、使い捨てホーストイレ内部に、尿液凝固剤粉末高分子ポリマーを約１０ｇ投入してなる構造の、使い捨てホーストイレを男性排尿使用時、ズボンチャックからホーストイレ紙筒ガイド部を差し入れて、直接ホーストイレ内に男性器を挿入行い、寝台ベット、車椅子、自動車運転席上で、男性が座した姿勢で尿漏れせず安全に排尿が行えることを特徴とした、使い捨てホーストイレ
【考案の詳細な説明】
【技術分野】
【０００１】従来使用されてきた男性用使い捨て携帯トイレには使用上、色々問題のあることが指摘されていた、高齢男性の場合排尿に勢いが無いため、外部袋型トイレ内に漏れなく排尿行なうことは困難であり、又車椅子や交通渋滞した自動車運転席等で座したまま袋型トイレに排尿行なうことは尿漏れが生じて不可能である本考案、使い捨てホーストイレは車椅子、自動車運転席でも、男性が座した姿勢で安全に排尿が行なえる全く新しい使い捨てホーストイレを提供するものである
【背景技術】
【０００２】現在、男性用携帯トイレは多種類の商品が開発されて市販されている、外国製ボトル型の携帯トイレから、国産の使い捨てポリ袋型携帯トイレに至るまで、何れの携帯トイレも男性には緊急時大変便利に使用できるものである
【先行技術文献】
【特許文献】
【０００３】
【特許文献１】特許公開２００１−７４７３０  発明の名称  採尿器具  本特許文献の内容は、男性用コンドーム型カテーテル、女性用パット型カテーテル類似ホース体が採用されて別途（しびん）尿瓶にホースが接続された構造の採尿器具である、しかしこの採尿器具は使い捨てのできない高価な商品である為、常時排尿液廃棄と器具全体の洗浄消毒作業が必要とされる商品である
【特許文献２】特許公開２００６−１４１５８４  発明の名称、簡易携帯トイレ、本特許文献の内容はペットボトル類似容器先端に男性女性兼用の排尿受け容器が接続された構造の携帯トイレである、しかし男性も女性もトイレボトルを手で持ったまま排尿受け口に向けて排尿行なうものであるが、本品は使い捨ての出来ない携帯トイレである為、溜まった排尿液廃棄と容器洗浄消毒作業が必要とされるトイレである
【実用新案文献１】
実用新案第、３０７７４４５号  考案の名称「小便用携帯トイレセット」本考案文献内容は、小型ポリ袋口に男女兼用の排尿受け口が個々に付設され、更にポリ袋上部に密閉用ジッパーが付設された構造の使い捨て携帯トイレである、健常者には便利に使用できる携帯トイレであるが、病人、身体障害者、高齢男性には尿漏れの心配がある他、男性が椅子に座して排尿行なうことは不可能である
【非特許文献】
【０００４】
【非特許文献１】携帯用トイレとして、使い捨て男女排尿処理バッグが開発されている、和式構造の小さな折りたたみダンボール箱にポリ袋を被せて排尿、排便等が行なえるものであるが、しゃがむことが困難な病人、身体障害者、高齢男性等には使用が困難である、女性が自動車内で使用することは可能であるが、男性ドライバーが交通渋滞時、運転席で座したままの姿勢で排尿行なうことは絶対不可能である
【考案の概要】
【考案が解決しようとする課題】
【０００５】通常トイレ行為が困難な男女病人、身体障害者等が最も使用しているのが尿瓶（しびん）である、しかし尿瓶使用の場合、必ず介助者の手で溜まった排尿液の廃棄作業と尿瓶の洗浄消毒作業が必要となるものである、本考案が解決しようとする課題は介助者の手を必要としない尿瓶代用品として、新たに男性病人、男性身体障害者、高齢男性等が独自、寝台ベット、車椅子上、更には男性ドライバーが自動車運転席で座したままの姿勢で安全に排尿が行なえる、全く新しい使い捨てホーストイレの開発行なうことを本考案の課題としたものである、
【課題を解決するための手段】
【０００６】尿瓶（しびん）最大欠陥は使い捨てが出来ないことと携帯が出来ないことである新たに使い捨てのできる携帯トイレとして安価なポリ袋を使用した、ホーストイレを考案した、外径約７ｃｍ、長さ約５０ｃｍのポリ袋ホースを尿瓶代わりに採用したものである、ホーストイレの先端にズボンチャック挿入用ガイド紙筒、外径５ｃｍ、長さ１０ｃｍの単管を付設して、更にポリ袋内に、尿液凝固目的の粉末凝固剤、ポリマーを約１０ｇ投入した構造の男性用使い捨てホーストイレを開発行い本課題を解決するための手段としたものである【０００７】男性は高齢になると排尿に勢いが無くなる為、通常の携帯トイレ容器を使って、外部から一滴も漏らさず排尿液を回収することは困難である、しかしホース状のトイレなら簡単にズボンチャックから差し入れが出来、直接ホーストイレ内に男性器を挿入して排尿行なえば、理論的に一滴も漏れず排尿が出来る訳である、更にホーストイレ先端に、ズボンチャック挿入用ガイド紙筒を付設しておけば、男性は寝台ベット上、車椅子上、更には自動車運転席上でも安全に、座したままの姿勢で排尿することが出来る、又ホーストイレを使用して男性が野外で立小便をした場合、排尿液が残らず回収される為、軽犯罪法に触れないものである【０００８】ホーストイレ本体は、外径約７ｃｍ長さ約５０ｃｍ厚さ０、０１５ｃｍのポリ袋が使用されている、外見は使い捨て傘袋と類似品である、ポリ袋先端付設ガイド紙筒は内径５ｃｍ、長さ１０ｃｍの円筒で、材質は無公害廃棄のできる画用紙で加工されたものである、尿液凝固目的の、粉末凝固剤ポリマーは、約１０ｇ直接ポリ袋に投入して、ポリ袋を数回折り畳む方法で凝固剤の水密維持ができるものである【０００９】使用済みホーストイレの廃棄方法は、最後にホースの口を男結びに閉じて、更に白色レジ袋に入れて廃棄行うものであるが、この方法は排尿液が凝固剤でゼリー状に固形化している為、紙おむつの廃棄方法と同様に一般可燃ごみとして問題なく廃棄することができるものである、当然尿液は凝固剤で固形化して袋漏れは無く、又ホース密封処理で悪臭公害も発生しないものである
【考案の効果】
【００１０】携帯トイレは数多くの商品が販売されているが、従来の使い捨て携帯トイレを使用して、自宅、病院、養護施設等で独自排尿することは容易である、しかし交通渋滞中、男性ドライバーが従来の使い捨て携帯トイレを使って運転席で座したまま排尿行なうことは、交通安全上無理であり、又危険である、本考案使い捨てホーストイレを使用すれば、男性ドライバーが運転席で座したままの姿勢で安全に排尿することができるのである、特に高速道路、一般道路交通渋滞中、男性ドライバーが運転席を離れず安全に座席で居ながら排尿できることは交通安全にも大きく寄与できることか考えられる、本考案の使い捨てホーストイレの効果は世界の高速道路交通安全にも大きく寄与できるものである
【図面の簡単な説明】
【００１１】
【図１】使い捨てホーストイレ全体斜視図
【図２】ガイド紙筒単体斜視図
【図３】使用済みホーストイレ斜視図
【図４】自動車運転席使用図
【考案を実施するための形態】
【００１２】使い捨てホーストイレを使用する場合、姿勢を問わず、男性はズボンチャック内にホーストイレ先端の紙筒ガイド部を挿入して、更にホーストイレ内に男性器を挿入して排尿行なえば誰でも簡単に一滴も漏れず排尿が行えるものである、屋外、公園、自動車内で緊急排尿行なう場合に於いても、比較的簡単で密かに排尿することが出来る、又車椅子男性患者の場合は、車椅子から降りず車椅子上で容易に排尿ができるため、障害者には大変便利な、使い捨て携帯トイレである
【実施例】
【００１３】試作使い捨てホーストイレを使用して複数の男性ドライバーに運転席での排尿実験を行って貰った結果全員が問題無く一滴も漏れず排尿ができたと喜びの報告を受けた、更に男性身体障害者にホーストイレを使って車椅子上の排尿実験を行なって貰った結果、問題無く使用できることが確認できたものである、又頻尿症男性知人数人に使い捨てホーストイレを使って野外排尿実験を行なって貰った結果、全員から道路で簡単に立ち小便が出来たと言う報告を受けた、本実施例で使い捨てホーストイレは問題無く使用できることが確認できたものである
【産業上の利用可能性】
【００１４】本考案、使い捨てホーストイレは構造がシンプルでポケットサイズで携帯が出来しかも安価な商品であるため、高齢男性頻尿者、男性ドライバー、その他海外旅行者等が必要とされる商品である、更に交通渋滞で男性ドライバーが運転席に座したままで緊急排尿ができることは、日本国内だけでなく、高速道路が普及した諸外国に於いてもホーストイレの需要は多々あることが予想できるものである
【符号の説明】
【００１５】（１）男性器挿入口
（２）折り曲げ紙筒包装部
（３）ホーストイレ本体
（４）粉末凝固剤
（５）紙筒ガイド
（６）ホーストイレ口結束部
（７）凝固尿液
（８）ズボンチャック口
（９）自動車運転席
【図１】
0003165864.tif 000003
【図２】
0003165864.tif 000004
【図３】
0003165864.tif 000005
【図４】
0003165864.tif 000006